【事件の表示】
　特許第６４９８８１４号発明「光コネクタ清掃工具及び光コネクタの清掃方法」の特許異議申立事件について、次のとおり決定する。
【結　論】
　特許第６４９８８１４号の請求項１に係る特許を維持する。
【理　由】
１．手続の経緯
　特許第６４９８８１４号の請求項１ないし１０に係る特許についての出願は、平成３０年４月１２日に出願され、平成３１年３月２２日にその特許権の設定登録がされ、平成３１年４月１０日に特許掲載公報が発行されたものであって、その手続の経緯は以下のとおりである。
　令和元年１０月　９日　　：特許異議申立人御園貴美代（以下「申立人」という。）による請求項１に係る特許に対する特許異議の申立
　令和元年１１月１８日付け：取消理由通知
　令和２年　１月２０日　　：意見書の提出（特許権者）
　令和２年　１月２８日付け：審尋（申立人に対して）
　令和２年　２月１４日　　：回答書（申立人）
　
２．請求項１に係る発明（以下「本件特許発明」という。）について
　なお、Ａ〜Ｅは、本件特許発明を分説するために当審で付した。
「【請求項１】
Ａ　工具本体と、
Ｂ　前記工具本体と相対移動可能に設けられ、前記工具本体から延び出た延出部と
を有する光コネクタ清掃工具であって、
Ｃ　前記延出部は、テープ状の粘着体で形成された清掃体を光コネクタに押し付けるヘッドを備え、
Ｄ　前記工具本体と前記延出部との相対移動によって、
　　　前記ヘッドに前記清掃体を搬送し、
　　　前記ヘッドに前記清掃体を搬送した後に、前記清掃体を前記光コネクタに接触可能にする
Ｅ　ことを特徴とする光コネクタ清掃工具。」
　
３．取消理由の概要
　当審において、本件特許発明に対して通知した取消理由の要旨は、次のとおりである。
　
・本件特許発明は、後記甲第１号証ないし甲第４号証に基いて当業者が容易に発明をすることができたものであるから、請求項１に係る特許は、特許法第２９条第２項の規定に違反してされたものである。
　
・甲各号証
（１）甲第１号証：特許第５４３９５５７号公報
（２）甲第２号証：特開２０１４−８１４４５号公報
（３）甲第３号証：特許第４１０１４８６号公報
（４）甲第４号証：特開２００３−２３２９６２号公報
　
４．甲各号証に記載された事項及び発明
（１）甲第１号証について
ア　本件出願の出願前に頒布された甲第１号証には、下記の事項が記載されている（下線は当審が付した。以下同じ。）。
（ア）「【技術分野】
【０００１】
　本発明は、
光コネクタ清掃工具
　
（イ）「【００２２】
　＝＝＝第１実施形態＝＝＝
　＜光コネクタ清掃工具の概要＞
　図１Ａは、第１実施形態の光コネクタ清掃工具（以下、単に「清掃工具」ということがある）の斜視図である。図１Ｂは、カバー５を外した状態の斜視図である。
【００２３】
　
清掃工具１
工具本体１０と、工具本体１０から延び出た延出部６０とを備えている
【００２４】
　
延出部６０
ヘッド６１を有し
ヘッド６１は、光コネクタの接合端面に清掃体３を押し付けるための部材である
【００２５】
　なお、第１実施形態の清掃工具１は、例えばＭＰＯコネクタの清掃に用いられる。ＭＰＯコネクタは、ＭＴ型のプラスチック多心光コネクタ（ＪＩＳ，Ｃ５９８１）を光コネクタフェルールとして用いた光コネクタであり、光アダプタにより抜き差し自在に結合される光コネクタである。多心光コネクタを清掃対象としているため、
清掃体３
幅のあるテープ状である
（途中省略）
【００２９】
　清掃工具１を用いて光コネクタを清掃するとき、作業者は、カバー５越しに工具本体１０を保持し、延出部６０の前側のヘッド６１を光アダプタに挿入して、光アダプタ内の光コネクタにヘッド６１の清掃体３を押し付け、その状態で工具本体１０を前側に向かって移動させる（プッシュ動作）。これにより、清掃工具１は、図２Ａの通常状態から図２Ｂや図２Ｃのプッシュ状態になる。更に、作業者は、光アダプタに挿入されているヘッド６１を引き出して清掃工具１を取り出すために、保持している工具本体１０を後側に移動させる（プル動作）。これにより、清掃工具１は、図２Ｂや図２Ｃのプッシュ状態から図２Ａの通常状態に戻る。
【００３０】
　このように、
作業者は、１回の清掃動作の中で、プッシュ動作とプル動作とを行
プッシュ動作では、工具本体１０が延出部６０に対して前側に移動
プル動作では、工具本体１０が延出部６０に対して後側に移動
【００３１】
　
作業者の行うプッシュ動作及びプル動作によって、工具本体１０と延出部６０とが前後方向に相対移動する
清掃工具１は、工具本体１０と延出部６０との間の相対移動（直線運動）を利用して、未使用の清掃体３の供給と、使用済みの清掃体３の巻き取りを行
　
（ウ）「【００７８】
　図７Ａ〜図７Ｃは、定量送出し機構８３の動作の説明図である。図７Ａは、プッシュ動作前の通常状態の説明図である。図７Ｂは、プッシュ状態における定量送出し機構８３の説明図である。図７Ｃは、プル動作後の通常状態の説明図である。図中において清掃体３の経路を太線で示している。
【００７９】
　
供給リール３１から供給された清掃体３は、供給側ガイド筒４１Ａによって工具本体１０から延出部６０に案内され
延出部６０に案内された清掃体３は、ヘッド６１の押圧面６１Ａにおいて上側から下側に巻き掛けられるとともに、延出部６０のヘッド側引掛部６８に引っ掛けられることによって、ヘッド６１とヘッド側引掛部６８との間に掛け渡され
【００８０】
　まず、プッシュ動作によって清掃工具１が通常状態（図７Ａ参照）からプッシュ状態（図７Ｂ参照）になるときの定量送出し機構８３の動作について説明する。
【００８１】
　
プッシュ動作では、ヘッド６１により清掃体３を光コネクタに押し付けた状態で、工具本体１０が延出部６０に対して前側に移動
【００８２】
　ヘッド側引掛部６８と本体側引掛部４２との間には清掃体３が掛け渡されているため、ヘッド６１から本体側引掛部４２までの間の清掃体３の長さは、ヘッド側引掛部６８と本体側引掛部４２が離間した分（すなわち、延出部６０に対する工具本体１０の移動量の分）だけ長くする必要がある。言い換えると、ヘッド６１より下流側の清掃体３の長さは、移動量の分だけ長くする必要がある。但し、巻取リール３５はラチェット機構８２によって巻取方向とは逆方向に回転することが制限されており、清掃体３が本体側引掛部４２からヘッド側引掛部６８へ送られること（清掃体３が逆送りされること）が制限されているため、長くなる分の清掃体３を巻取リール３５から供給することはできない。このため、ヘッド６１の上流側から下流側へ、ヘッド側引掛部６８と本体側引掛部４２が離間した分（すなわち、延出部６０に対する工具本体１０の移動量の分）の清掃体３が送り出されることになる。つまり、
延出部６０に対する工具本体１０の移動量の分の未使用の清掃体３がヘッド６１に供給され、延出部６０に対する工具本体１０の移動量の分の使用済みの清掃体３がヘッド６１から送り出され
【００８３】
　一方、供給側ガイド筒４１Ａからヘッド６１までの間の距離は、延出部６０に対する工具本体１０の移動量の分だけ近接する。この結果、供給側ガイド筒４１Ａからヘッド６１までの間の清掃体３の長さ（若しくは、供給リール３１からヘッド６１までの間の清掃体３の長さ）は、移動量の分だけ短くなる。言い換えると、ヘッド６１より上流側の清掃体３の長さは、移動量の分だけ短くなる。このため、この分の清掃体３がヘッド６１の下流側に送り出されることになる。
【００８４】
　言い換えると、プッシュ動作のとき、ヘッド側引掛部６８と本体側引掛部４２との間には清掃体３が掛け渡されている状態でヘッド側引掛部６８と本体側引掛部４２が離間するため、ヘッド６１よりも下流側の清掃体３の張力が高くなる。一方、プッシュ動作のとき、ヘッド６１よりも上流側の清掃体３の張力は低くなる。このため、ヘッド６１の上流側と下流側の張力差によって、ヘッド６１の上流側の清掃体３がヘッド６１の下流側に送り出されることになる。
【００８５】
　なお、プッシュ動作時には、ヘッド側引掛部６８と本体側引掛部４２との間の清掃体３に働く張力によって、巻取リール３５に巻取方向とは逆方向の力が働くが、ラチェット機構８２の作用により巻取リール３５は回転しない。また、プッシュ動作時には、ヘッド６１の上流側の清掃体３がヘッド６１の下流側に移動するだけなので、供給リール３１も回転しない。
【００８６】
　次に、プル動作によって清掃工具１がプッシュ状態（図７Ｂ参照）から通常状態（図７Ｃ参照）になるときの定量送出し機構８３の動作について説明する。
【００８７】
　
プル動作では、工具本体１０が延出部６０に対して後側に移動
【００８８】
　ヘッド側引掛部６８と本体側引掛部４２との間には清掃体３が掛け渡されているため、ヘッド６１から本体側引掛部４２までの間の清掃体３の長さは、ヘッド側引掛部６８と本体側引掛部４２が近接した分（すなわち、延出部６０に対する工具本体１０の移動量の分）の余剰が生じる。一方、
プル動作では、巻取リール３５が巻取方向に回転することに
清掃体３は、巻取リール３５によって巻き取られ
【００８９】
　一方、供給側ガイド筒４１Ａからヘッド６１までの間の距離は、延出部６０に対する工具本体１０の移動量の分だけ離間する。このため、供給側ガイド筒４１Ａからヘッド６１までの間の清掃体３の長さ（若しくは、供給リール３１からヘッド６１までの間の清掃体３の長さ）は、移動量の分だけ長くする必要がある。但し、通常状態に戻る前までは、ヘッド６１の清掃体３はヘッド６１と光コネクタとの間に挟まれており、ヘッド６１の下流側の清掃体３がヘッド６１の上流側に逆送りされ難い状態になっている。このため、延出部６０に対する工具本体１０の移動量の分の清掃体３が供給リール３１から供給されることになる。つまり、
延出部６０に対する工具本体１０の移動量の分の清掃体３が供給リール３１から引っ張り出される
【００９０】
　なお、プル動作のとき、摩擦伝動機構８４（及びラックアンドピニオン機構８１）によって清掃体３に所定の張力が作用するため（後述）、ヘッド側引掛部６８と本体側引掛部４２が近接しても、ヘッド６１よりも下流側の清掃体３の張力は低下せず、所定の張力に維持されている。このため、仮にヘッド６１の清掃体３がヘッド６１と光コネクタとの間に挟まれていなかったとしても（仮に空の清掃動作が行われても）、ヘッド側引掛部６８と本体側引掛部４２が近接するときに、ヘッド６１の下流側の清掃体３がヘッド６１の上流側に逆送りされることはない。
【００９１】
　上記の通り、定量送出し機構８３は、工具本体１０に設けられた本体側引掛部４２と、延出部６０に設けられたヘッド側引掛部６８とから構成されている。本体側引掛部４２とヘッド側引掛部６８との間に清掃体３が掛け渡されており、プッシュ動作時の工具本体１０と延出部６０との間の相対移動（直線運動）によって本体側引掛部４２とヘッド側引掛部６８とが離間することにより、その離間した分の清掃体３がヘッド６１の上流側から下流側に送り出される。これにより、巻取リール３５に巻き取られている清掃体３の外径に関わらず、ヘッド６１に供給される清掃体３の量が一定になる。
【００９２】
　また、上記の清掃工具１は、ラチェット機構８２によって、清掃体３が本体側引掛部４２からヘッド側引掛部６８へ送られること（清掃体３が逆送りされること）を制限している。これにより、本体側引掛部４２とヘッド側引掛部６８とが離間するときに、ヘッド６１の上流側から下流側へ、ヘッド側引掛部６８と本体側引掛部４２が離間した分（すなわち、延出部６０に対する工具本体１０の移動量の分）の清掃体３が送り出されることになる。」
　
イ　上記アによれば、甲第１号証には、下記の発明（以下「甲１発明」という。）が記載されていると認められる（ａ〜ｈは、甲１発明を分説するために当審で付した。
「ａ　工具本体と（上記「ア」「（イ）」段落【００２３】）、
ｂ　前記工具本体から延び出た延出部と（上記「ア」「（イ）」段落【００２３】）、
ｃ　前記延出部はヘッドを有し、前記ヘッドは、光コネクタの接合端面に清掃体を押し付けるための部材である延出部と（上記「ア」「（イ）」段落【００２４】）、幅のあるテープ状である清掃体（上記「ア」「（イ）」段落【００２５】）と、を有する光コネクタ清掃工具であって（上記「ア」「（ア）」段落【０００１】）、
ｄ　作業者が、１回の清掃動作の中で、プッシュ動作とプル動作とを行い、前記プッシュ動作では、工具本体が延出部に対して前側に移動し、前記プル動作では、工具本体が延出部に対して後側に移動し（上記「ア」「（イ）」段落【００３０】）、前記作業者の行う前記プッシュ動作及び前記プル動作によって、工具本体と延出部とが前後方向に相対移動する光コネクタ清掃工具において、工具本体と延出部との間の相対移動（直線運動）を利用して、未使用の清掃体の供給と、使用済みの清掃体の巻き取りを行い（上記「ア」「（イ）」段落【００３１】）、
ｅ　供給リールから供給された清掃体は、供給側ガイド筒によって工具本体から延出部に案内され、前記延出部に案内された清掃体は、ヘッドの押圧面において上側から下側に巻き掛けられるとともに、延出部のヘッド側引掛部に引っ掛けられることによって、ヘッドとヘッド側引掛部との間に掛け渡され（上記「ア」「（ウ）」段落【００７９】）、
ｆ　前記プッシュ動作では、ヘッドにより清掃体を光コネクタに押し付けた状態で、工具本体が延出部に対して前側に移動し（上記「ア」「（ウ）」段落【００８１】）、前記延出部に対する工具本体の移動量の分の未使用の清掃体がヘッドに供給され、延出部に対する工具本体の移動量の分の使用済みの清掃体がヘッドから送り出され（上記「ア」「（ウ）」段落【００８２】）、
ｇ　前記プル動作では、工具本体が延出部に対して後側に移動し（上記「ア」「（ウ）」段落【００８７】）、前記プル動作では、巻取リールが巻取方向に回転することにより清掃体は、巻取リールによって巻き取られ（上記「ア」「（ウ）」段落【００８８】）、延出部に対する工具本体の移動量の分の清掃体が供給リールから引っ張り出される（上記「ア」「（ウ）」段落【００８９】）、
ｈ　光コネクタ清掃工具（上記「ア」「（ア）」段落【０００１】）。」
　
（２）甲第２号証について
ア　本件出願の出願前に頒布された甲第２号証には、下記の事項が記載されている。
（ア）「【技術分野】
【０００１】
　本発明は、光学的に着脱可能な光コネクタの光接続端面以外の内部も清掃できる
光コネクタ清掃装置
　
（イ）「【００１５】
　次に、本実施形態の光コネクタ清掃装置１の構成について説明する。
　図１Ａに示すように、本実施形態に係る光コネクタ清掃装置１は、例えば、光コネクタ清掃装置１の先端側に設置され、光コネクタ１０のフェルール１２の先端面に当接する先端部材２と、図１Ｂに示すような光コネクタの内部要素に当接するように変形する変形部３（第１の支持部）と、変形部３の変形を維持するための係止機構を有する係止部材４と、光コネクタ清掃装置１の先端から基端に設置されている支持部材５と、光コネクタ清掃装置の基端側に設置されている保持部６と、を有している。さらに、光コネクタ清掃装置１は、変形部３の表面に沿って配置される清掃部７、を有する。
清掃部７
クリーニングテープ
　
（ウ）「【００２３】
　クリーニングテープ７は、保持部６から係止部材４を通り、変形部３の表面に従って設置されている。クリーニングテープ７は、回転駆動部８を介して一方方向に搬送され得る。クリーニングテープ７は、
異物を清掃、例えば、吸着若しくは払拭できる部材で
粘着力のあるテープ
清掃すること
　
イ　上記アによれば、甲第２号証には、下記の事項（以下「甲第２号証に記載された事項」という。）が記載されていると認められる。
「光コネクタ清掃装置において、清掃部に異物を清掃、例えば、吸着若しくは払拭できる部材である粘着力のあるテープを用いて、光コネクタを清掃すること。」
　
（３）甲第３号証について
ア　本件出願の出願前に頒布された甲第３号証には、下記の事項が記載されている。
（ア）「【０００１】
【発明の属する技術分野】
本発明は、光コネクタの突き合わせ接続用の接合端面の清掃に用いられる
光コネクタ端面清掃具
　
（イ）「【００１５】
然るに、この光コネクタ端面清掃具１では、開口部５１に露出されている清掃体６を光コネクタ１０の接合端面１２（詳細にはフェルール１１の接合端面１２）に当接させた状態で、操作ハンドル２の引き操作と引き操作の解除（以下「操作と操作解除」と略称する場合がある）とを繰り返すことで、順次、巻き取りリール８から引き出し部７のリール７ａに向けて清掃体６を送り移動させ、接合端面１２を清掃するようになっている。このとき、順次、巻き取りリール８から送り出された清浄な清掃体６が接合端面１２に接触されることになり、接合端面１２の清掃を効果的に行える。
【００１６】
図３等に示すように、清掃体６は、筐体５０の開口部５１に露出されており、この清掃体６の前記開口部５１に露出された外面によって、前記光コネクタ１０の接合端面１２に接触される清掃面６ａが形成されている。
清掃体
自粘着性を有する
テープ状に切り出
　
イ　上記アによれば、甲第３号証には、下記の事項（以下「甲第３号証に記載された事項」という。）が記載されていると認められる。
「光コネクタ端面清掃具において、テープ状に切り出した自粘着性を有する清掃体を用いて、光コネクタの接合端面を清掃すること。」
　
（４）甲第４号証について
ア　本件出願の出願前に頒布された甲第４号証には、下記の事項が記載されている。
（ア）「【０００１】
【発明の属する技術分野】本発明は、
光コネクタ先端
光コネクタ清掃具
　
（イ）「【００１５】然るに、この光コネクタ清掃具１では、開口部５１に露出されている清掃体６を光コネクタ１０の接合端面１２（詳細にはフェルール１１の接合端面１２）に当接させた状態で、操作ハンドル２の引き操作と引き操作の解除（以下「操作と操作解除」と略称する場合がある）とを繰り返すことで、順次、巻き取りリール８から引き出し部７のリール７ａに向けて清掃体６を送り移動させ、接合端面１２を清掃するようになっている。このとき、順次、巻き取りリール８から送り出された清浄な清掃体６が接合端面１２に接触されることになり、接合端面１２の清掃を効果的に行える。
【００１６】図３等に示すように、清掃体６は、筐体５０の開口部５１に露出されており、この清掃体６の前記開口部５１に露出された外面によって、前記光コネクタ１０の接合端面１２に接触される清掃面６ａが形成されている。
清掃体
自粘着性を有する
テープ状に切り出
　
イ　上記アによれば、甲第４号証には、下記の事項（以下「甲第４号証に記載された事項」という。）が記載されていると認められる。
「光コネクタ清掃具において、テープ状に切り出した自粘着性を有する清掃体を用いて、光コネクタの接合端面を清掃すること。」
　
５．当審の判断
５−１　取消理由通知に記載した取消理由について
・本件特許発明について
ア　対比
　本件特許発明と甲１発明を対比する。
（ア）甲１発明の「工具本体」（構成ａ）は、本件特許発明の「工具本体」（構成Ａ）に相当するとともに、甲１発明の「光コネクタ清掃工具」（構成ｈ）は、本件特許発明の「光コネクタ清掃工具」（構成Ｅ）に相当する。
　
（イ）甲１発明の「前記工具本体から延び出た延出部」（構成ｂ）であって、「前記プッシュ動作及び前記プル動作によって、工具本体と延出部とが前後方向に相対移動する」（構成ｄ）「延出部」「を有する光コネクタ清掃工具」（構成ｃ）は、本件特許発明の「前記工具本体と相対移動可能に設けられ、前記工具本体から延び出た延出部とを有する光コネクタ清掃工具」（構成Ｂ）に相当する。
　
（ウ）甲１発明の「前記延出部はヘッドを有し、前記ヘッドは、光コネクタの接合端面に清掃体を押し付けるための部材である延出部」であって「幅のあるテープ状である清掃体」（構成ｃ）である「延出部」は、本件特許発明の「テープ状の粘着体で形成された清掃体を光コネクタに押し付けるヘッドを備え」る「延出部」（構成Ｃ）と、「テープ状の清掃体を光コネクタに押し付けるヘッドを備え」る「延出部」（以下「構成Ｃ´」という。）の点で一致する。
　
（エ）甲１発明の「作業者が、１回の清掃動作の中で、プッシュ動作とプル動作とを行い、前記プッシュ動作では、工具本体が延出部に対して前側に移動し、前記プル動作では、工具本体が延出部に対して後側に移動し、前記作業者の行う
前記プッシュ動作及び前記プル動作によって、工具本体と延出部とが前後方向に相対移動する光コネクタ清掃工具において、工具本体と延出部との間の相対移動（直線運動）を利用して、未使用の清掃体の供給と、使用済みの清掃体の巻き取りを行い
供給リールから供給された清掃体は、
ヘッドの押圧面において上側から下側に巻き掛けられ
プッシュ動作では、
未使用の清掃体がヘッドに供給され、
前記プル動作では、
清掃体は、巻取リールによって巻き取られ、
　したがって、引用発明の上記ｄないしｇの構成は、本件特許発明の「前記工具本体と前記延出部との相対移動によって、前記ヘッドに前記清掃体を搬送し、前記ヘッドに前記清掃体を搬送した後に、前記清掃体を前記光コネクタに接触可能にする」（構成Ｄ）ことと、「前記工具本体と前記延出部との相対移動によって、前記ヘッドに前記清掃体を搬送」する（以下「構成Ｄ´」という。）点で一致する。
　
（オ）上記（ア）ないし（エ）での検討によれば、本件特許発明と甲１発明とは、
「Ａ　工具本体と、
Ｂ　前記工具本体と相対移動可能に設けられ、前記工具本体から延び出た延出部と
を有する光コネクタ清掃工具であって、
Ｃ´　前記延出部は、テープ状の清掃体を光コネクタに押し付けるヘッドを備え、
Ｄ´　前記工具本体と前記延出部との相対移動によって、
　　　　前記ヘッドに前記清掃体を搬送する、
Ｅ　光コネクタ清掃工具。」
の点で一致し、以下の相違点１、２で相違する。
　
〔相違点１〕
　テープ状の清掃体が、本件特許発明は、「粘着体で形成された」のに対して、甲１発明は、このように特定されない点。
　
〔相違点２〕
　本件特許発明は、「前記ヘッドに前記清掃体を搬送した後に、前記清掃体を前記光コネクタに接触可能にする」のに対して、甲１発明は、このように特定されない点。
　
イ　判断
　事案に鑑みて相違点２から検討する。
（ア）甲１発明の光コネクタ清掃工具は、「プッシュ動作」において、「ヘッドにより清掃体を光コネクタに押し付けた状態で、工具本体が延出部に対して前側に移動し、前記延出部に対する工具本体の移動量の分の未使用の清掃体がヘッドに供給され、延出部に対する工具本体の移動量の分の使用済みの清掃体がヘッドから送り出され」（構成ｆ）るものであるから、「ヘッドに清掃体を搬送」している間と、「ヘッドに清掃体を搬送」した後のいずれも、当該清掃体は「光コネクタに押し付けた状態」にあるもの、つまり、「清掃体を光コネクタに接触可能にする」ものであるといえる。
　
（イ）一方、本件特許発明の構成Ｄにおける「前記工具本体と前記延出部との相対移動によって、前記ヘッドに前記清掃体を搬送し、前記ヘッドに前記清掃体を搬送した後に、前記清掃体を前記光コネクタに接触可能にする」において、「前記ヘッドに前記清掃体を搬送し」の記載の後に「前記ヘッドに前記清掃体を搬送した後に、前記清掃体を前記光コネクタに接触可能にする」と記載されており、他に何らかの追加の前提を示す記載などもないことから、文章の流れに沿って読めば、前段の「前記ヘッドに前記清掃体を搬送し」における搬送する行為と、後段の「前記ヘッドに前記清掃体を搬送した（後）」における搬送する行為は、同じ行為を指していると解することが自然である。
　そして、上記清掃体を搬送する行為の後に「前記清掃体を前記光コネクタに接触可能にする」とあえて明示して記載していることから、上記清掃体を搬送する行為の後に、清掃体は光コネクタに接触可能、つまり接触すると解することが文章の流れから見て、自然といえる。
　このような解釈は、本件特許発明の清掃体は粘着体であり、本件特許明細書の段落【００３６】に「レンズ結合型のフェルールのフェルール端面９１にはレンズが配置されている。したがって、フェルール端面９１は、平面のみで形成されておらず、レンズが配置されている部分は凸部が形成されていることになる。このような凸部を有するフェルール端面の場合、清掃布や清掃糸で拭き取る場合と比べて、粘着体を押し付ける方がフェルール端面全体を適切に清掃することができる。この点、本実施形態の清掃工具１０は、テープ状の粘着体で形成された清掃体１を使用しているので、レンズ部分を含めたフェルール端面９１全体に清掃体１を接触させることが容易となる。」と記載されているように、拭き取るのではなく、押し付けることにより清掃することを前提としていること、
　及び、本件特許明細書に
「【００４０】
　本実施形態では、清掃体１を搬送することでヘッド６０に未使用の清掃体１を供給し、使用済みの清掃体１をヘッド６０から送り出す動作（図２Ｂ参照）の後に、清掃体１をフェルール端面９１に接触させる動作（図２Ｃ参照）が行われている。仮に、清掃体１をフェルール端面９１に接触した状態で清掃体１を搬送しようとすると、清掃体１がフェルール端面９１に貼り付いて清掃体１を円滑に搬送することができないことがある。また、清掃体１が異物に接触したまま清掃体１を搬送することで、清掃体１が異物から剪断力を受け、清掃体１を形成する粘着体が小片にちぎれてしまうおそれもある。この小片にちぎれた清掃体１がフェルール端面９１上に残滓として付着してしまい、伝送損失の増大を引き起こす原因となることもある。
【００４１】
　このため、本実施形態では、ヘッド６０へ清掃体１を搬送することが完了した（図２Ｂ参照）後に、清掃体１をフェルール端面９１に接触させている（図２Ｃ参照）。これにより、清掃体１を円滑に搬送すると共に、清掃体１を形成する粘着体が小片にちぎれてしまうことを抑制することができる。」
との記載があることや、本件特許明細書中に、上記解釈に反する記載、例えば、清掃体を搬送する行為中において清掃体が光コネクタに接触可能であることなどを示唆する記載がないことからも裏付けられることである。
　
（ウ）これに対して、上記（ア）のとおり、甲１発明は、「ヘッドに清掃体を搬送」している間と、「ヘッドに清掃体を搬送」した後のいずれも、当該清掃体は「光コネクタに押し付けた状態」つまり「清掃体を光コネクタに接触可能にする」ものであるところ、これを「ヘッドに清掃体を搬送」している間は当該清掃体を「光コネクタに押し付けた状態」とせず、「ヘッドに清掃体を搬送」した後に、当該清掃体を「光コネクタに押し付けた状態」とする構成（上記相違点２に係る本件特許発明の構成）とすべき必要性はなく、甲第２〜４号証に記載された技術的事項を見ても、このように構成することを示唆する記載はなく、甲１発明において上記相違点２に係る本件特許発明の構成となすことは、甲１発明及び甲第２〜４号証に記載された技術的事項から、当業者が容易に想到し得えたとはいえない。
　
ウ　小括
　したがって、本件特許発明は、相違点１について検討するまでもなく、当業者であっても、甲１発明及び甲第２〜４号証に記載された技術的事項に基づいて容易に発明できたものであるとは認められない。
　
５−２　申立人の回答書での主張について
（１）申立人は、回答書において概略、下記のとおり主張する。
ア　「構成Ｄは、『○○した後に、△△する』といった表現を採用しております。この『○○した後に、△△する』といった表現は、『△△する』タイミングが、『○○した後』であることのみを表すものであります。すなわち、『○○しているとき（最中に）』に何をしているかを表すものではなく、『○○しているとき（最中に）』にも『△△する』ことを限定できるものではありません。具体的には、『走った後に、水を飲む』という文章において『水を飲む』タイミングは、『走った後に』を包含することは明らかですが、『走る前』及び『走っているとき』を除外できる表現ではありません。」（回答書２頁１０〜１６行）
　
イ　「すなわち、（Ａ）『前記工具本体と前記延出部との相対移動によって、』は、（Ｂ１）『前記ヘッドに前記清掃体を搬送し、』と、（Ｂ２）『前記ヘッドに前記清掃体を搬送した後に、前記清掃体を前記光コネクタに接触可能にする』との双方に等しく係ると解釈することができます。また、（Ｂ２）の前段は、『『前記ヘッドに前記清掃体を搬送し』た後に』、であり、（Ｂ１）と共通する表現が用いられております。
　してみると、構成Ｄは、『前記工具本体と前記延出部との相対移動によって（Ａ）、前記ヘッドに前記清掃体を搬送し（Ｂ１）、』、『前記工具本体と前記延出部との相対移動によって（Ａ）、前記ヘッドに前記清掃体を搬送した後に、前記清掃体を前記光コネクタに接触可能にする（Ｂ２）』と解するのが妥当であると存じます。
　つまり、構成Ｄは、『前記工具本体と前記延出部との相対移動によって』、『前記ヘッドに前記清掃体を搬送』するとともに、『前記工具本体と前記延出部との相対移動によって』、『前記清掃体を前記光コネクタに接触可能にする』ことを規定するものであります。」（回答書３頁１４〜２５行）
　
ウ　「したがって、『清掃体を搬送し、清掃体を搬送した後に、清掃体を光コネクタに接触可能にする』こと、つまり、『清掃体を搬送し、清掃体の未だ清掃に使用していない箇所をヘッドに搬送した後に、光コネクタに接触可能にする』ことは、甲１発明において開示されている技術であるといえます。
　また、『相対移動によって清掃体を搬送』する技術も異議申立書にて説明した通り、甲１発明において開示された技術です（段落００３１等）。
　さらに、『清掃具』において、『未だ清掃に使用していない箇所』を用いて清掃することは当然ながら自明のことです。加えて、『未だ情掃に使用していない箇所』を搬送するのが清掃前または清掃後のいずれかを選択することは、自明のことです。」（回答書４頁１０〜１８行）
　
（２）しかしながら、申立人の上記「（１）」「ア」の主張については、上記「５−１」「イ」で検討したとおりであって、本件特許発明の構成Ｄは、清掃体を搬送する行為の後に、清掃体は光コネクタに接触可能、つまり接触すると解すべきものであるから、申立人の上記「（１）」「ア」の主張は採用できない。
　
（３）また、申立人の上記「（１）」「イ」及び「ウ」の主張に関して、本件特許発明の構成Ｄは、あくまで、
「　前記工具本体と前記延出部との相対移動によって、
　　　前記ヘッドに前記清掃体を搬送し、
　　　前記ヘッドに前記清掃体を搬送した後に、前記清掃体を前記光コネクタに接触可能にする」と特定するものであって、
「　前記工具本体と前記延出部との相対移動によって、
　　　前記ヘッドに前記清掃体を搬送し、
　　前記工具本体と前記延出部との相対移動によって、
　　　前記ヘッドに前記清掃体を搬送した後に、前記清掃体を前記光コネクタに接触可能にする」とは特定していないから、
　あえて、「前記工具本体と前記延出部との相対移動によって、前記ヘッドに前記清掃体を搬送し、」および「前記工具本体と前記延出部との相対移動によって、前記ヘッドに前記清掃体を搬送した後に、前記清掃体を前記光コネクタに接触可能にする」のように構成を分断して解すべき格別の事由はなく、
「前記工具本体と前記延出部との相対移動によって、」「前記ヘッドに前記清掃体を搬送し、前記ヘッドに前記清掃体を搬送した後に、前記清掃体を前記光コネクタに接触可能にする」と一連の構成を規定しているものと解するのが相当である。
　そして、本件特許明細書及び図面を見ても、本件特許発明の構成Ｄを上記のように分断して解した場合に対応する構成は記載されていない。
　したがって、申立人の上記「（１）」「イ」及び「ウ」の主張は採用できない。
　
６．むすび
　したがって、請求項１に係る特許は、取消理由通知に記載した取消理由及び特許異議申立書に記載された特許異議申立理由によっては、取り消すことができない。
　また、他に請求項１に係る特許を取り消すべき理由を発見しない。
　よって、結論のとおり決定する。
【異議決定日】
令和２年２月２８日（２０２０．２．２８）